(57)【要約】【課題】  表示ムラを改善する。【解決手段】  液晶パネルＡＡは、画像データをＤＡ変換して画像信号をデータ線に供給する複数のデータ線駆動回路２０１〜２０４によって駆動される。各データ線駆動回路２０１〜２０４は、各諧調に応じた基準電圧を生成する複数のラダー抵抗を基準電圧生成回路として備える。ラダー抵抗の接続点の一部は配線Ｌ１〜Ｌ３によって相互に接続されている。従って、各データ線駆動回路２０１〜２０４間でラダー抵抗の値がばらついたとしても階調電圧を揃えることが可能となる。【選択図】      図１
2005070338.tif 000002
【特許請求の範囲】
【請求項１】
複数のデータ線、複数の走査線、及び前記データ線と前記走査線との交差に対応する複数の画素が形成された画素領域と、所定本数のデータ線に対応して各々設けられた複数のデータ線駆動回路とを備えた電気光学装置であって、
前記データ線駆動回路は、高電位電源と低電位電源との間に直列に接続される複数のラダー抵抗と、前記ラダー抵抗の各接続点から各階調電圧を得て、画像データをデジタル信号からアナログ信号に変換して画像信号を前記データ線に出力するＤＡ変換器と、
前記ラダー抵抗の各接続点の一部を相互に接続する複数の配線と、
を備えたことを特徴とする電気光学装置。
【請求項２】
前記複数の配線は、前記複数のラダー抵抗に対して等間隔で設けられたことを特徴とする請求項１に記載の電気光学装置。
【請求項３】
前記複数の配線は、前記複数のラダー抵抗に対して中心階調から離れるに従って間隔が密になることを特徴とする請求項１に記載の電気光学装置。
【請求項４】
前記電気光学装置は、前記画素領域が形成される電気光学パネルと、
前記電気光学パネルと外部基板とに接続されるフレキシブル基板とを備え、
前記複数のデータ線駆動回路は、前記フレキシブル基板に設けられ、
前記複数の配線は、前記フレキシブル基板、前記電気光学パネル又は前記外部基板に形成された
ことを特徴とする請求項１乃至３のうちいずれか１項に記載の電気光学装置。
【請求項５】
前記電気光学装置は、前記画素領域が形成される電気光学パネルと、
前記電気光学パネルと外部基板とに接続されるフレキシブル基板とを備え、
前記複数のデータ線駆動回路は、前記電気光学パネルに設けられ、
前記複数の配線は、前記電気光学パネル、前記フレキシブル基板又は前記外部基板に形成された
ことを特徴とする請求項１乃至３のうちいずれか１項に記載の電気光学装置。
【請求項６】
前記電気光学装置は、前記画素領域が形成される電気光学パネルと、
前記電気光学パネルと外部基板とに接続されるフレキシブル基板とを備え、
前記複数のデータ線駆動回路は、前記外部基板に設けられ、
前記複数の配線は、前記電気光学パネル、前記フレキシブル基板又は前記外部基板に形成された
ことを特徴とする請求項１乃至３のうちいずれか１項に記載の電気光学装置。
【請求項７】
前記複数のデータ線駆動回路は、ＩＣチップとして各々構成され、前記各ＩＣチップは異方性導電膜を介して固着されることを特徴とする請求項４乃至６のうちいずれか１項に記載の電気光学装置。
【請求項８】
請求項１乃至７のうちいずれか１項に記載の電気光学装置を備えたことを特徴とする電子機器。
【発明の詳細な説明】
【技術分野】
【０００１】
本発明は、電気光学装置及び電子機器に関する。
【背景技術】
【０００２】
表示装置、例えば、電気光学材料として液晶を用いた液晶表示装置は、陰極線管（ＣＲＴ）に代わるディスプレイデバイスとして、各種情報処理機器の表示部や液晶テレビなどに広く用いられている。
【０００３】
液晶表示装置は、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との間に充填された電気光学材料たる液晶とを備える。画素は、スイッチング素子、画素電極、電気光学材料及び対向電極によって構成され、マトリクス状に配置される。
【０００４】
このような液晶表示装置において各データ線には、表示階調に応じた画像信号を供給する必要がある。一般に、表示階調は画像データとして与えられることが多いので、データ線駆動回路としてＤＡ変換器を備えた液晶表示装置が知られている（例えば、特許文献１及び特許文献２）。
【０００５】
【特許文献１】特開２００３−８４７２７号公報
【特許文献２】特開平９−１３８６７０号公報
【発明の開示】
【発明が解決しようとする課題】
【０００６】
ところで、液晶表示装置に複数のデータ線駆動回路を設け、各データ線駆動回路に所定本数のデータ線を割り当てて駆動することがある。このような場合、複数のデータ線駆動回路においてＤＡ変換特性を完全に一致させることはできず、バラツキがあることが多い。ＤＡ変換特性のバラツキは輝度ムラとして見えてしまうため、表示画質が劣化するといった問題があった。
【０００７】
そこで、本発明は、複数のデータ線駆動回路を備えた電気光学装置において、表示画質を向上した電気光学装置を提供することを解決課題とする。
【課題を解決するための手段】
【０００８】
上述した課題を解決するため、本発明に係る電気光学装置は、複数のデータ線、複数の走査線、及び前記データ線と前記走査線との交差に対応する複数の画素が形成された画素領域と、所定本数のデータ線に対応して各々設けられた複数のデータ線駆動回路とを備え、前記データ線駆動回路は、高電位電源と低電位電源との間に直列に接続される複数のラダー抵抗と、前記ラダー抵抗の各接続点から各階調電圧を得て、画像データをデジタル信号からアナログ信号に変換して画像信号を前記データ線に出力するＤＡ変換器と、前記ラダー抵抗の各接続点の一部を相互に接続する複数の配線とを備えたことを特徴とする。
【０００９】
この発明によれば、複数のデータ線駆動回路に設けられたラダー抵抗の各接続点の一部を相互に接続するので、接続された接続点の電位は一致する。従って、各データ線駆動回路においてラダー抵抗の値がばらついたとしても、ＤＡ変換特性を揃えることが可能となる。この結果、電気光学装置の表示ムラを大幅に改善することが可能となる。
【００１０】
上述した電気光学装置において、前記複数の配線は、前記複数のラダー抵抗に対して等間隔で設けられることが好ましい。この場合には、所定階調毎に階調電圧が一致するので、全ての階調にわたって、表示ムラを改善することができる。
【００１１】
上述した電気光学装置において、前記複数の配線は、前記複数のラダー抵抗に対して中心階調から離れるに従って間隔が密になるものであってもよい。人の視覚は、中間階調よりも階調が離れるにつれて感度が高くなる。従って、ユーザーは、暗い階調又は明るい階調では、僅かな明るさの差を表示ムラとして検知する。本発明によれば、複数の配線が、複数のラダー抵抗に対して中心階調から離れるに従って間隔が密になるに設けられているので、視覚特性において感度の高い領域で、階調を揃えることができるので、表示ムラをより一層低減することが可能となる。
【００１２】
また、上述した電気光学装置は、前記画素領域が形成される電気光学パネルと、前記電気光学パネルと外部基板とに接続されるフレキシブル基板とを備え、前記複数のデータ線駆動回路は、前記フレキシブル基板に設けられ、前記複数の配線は前記電気光学パネル又は前記外部基板に形成されることが好ましい。この場合には、データ線駆動回路をフレキシブル基板に形成することができる。
【００１３】
また、上述した電気光学装置は、前記電気光学装置は、前記画素領域が形成される電気光学パネルと、前記電気光学パネルと外部基板とに接続されるフレキシブル基板とを備え、前記複数のデータ線駆動回路は、前記電気光学パネルに設けられ、前記複数の配線は、前記電気光学パネル、前記フレキシブル基板又は前記外部基板に形成されてもよい。この場合には、データ線駆動回路を電気光学パネルに形成することができる。
【００１４】
また、上述した電気光学装置は、前記画素領域が形成される電気光学パネルと、前記電気光学パネルと外部基板とに接続されるフレキシブル基板とを備え、前記複数のデータ線駆動回路は、前記外部基板に設けられ、前記複数の配線は、前記電気光学パネル、前記フレキシブル基板、又は前記外部基板、に形成されてもよい。この場合には、データ線駆動回路を外部基板に形成することができる。
【００１５】
また、上述した電気光学装置において、前記複数のデータ線駆動回路は、ＩＣチップとして各々構成され、前記各ＩＣチップは異方性導電膜を介して固着されることが好ましい。
【００１６】
次に、本発明に係る電子機器は、上述した電気光学装置を備えることを特徴とし、例えば、液晶プロジェクタ、パーソナルコンピュータ、携帯電話、電子カメラ、ＰＤＡ等が該当する。
【発明を実施するための最良の形態】
【００１７】
以下、図面を参照して、本発明に係わる実施形態を説明する。なお、本実施形態では、電気光学材料として液晶を用いた液晶パネルを電気光学パネルの一例とし、液晶パネルを用いた液晶表示装置を電気光学装置の一例として説明する。
＜１．液晶表示装置の全体構成＞
図１に液晶表示装置の全体構成を示す。この図に示すように液晶表示装置は、液晶パネルＡＡと、フレキシブル基板Ｂ１〜Ｂ５、及び外部基板Ｃを備える。液晶パネルＡＡには、画像が表示される画像表示領域Ａが形成されると共に、走査線を駆動する走査線駆動回路１００が形成されている。
【００１８】
図２に、液晶パネルＡＡの電気的な構成を示す。画像表示領域Ａには、図２に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極（後述する）と、これら両電極間に挟持された液晶とによって構成される。この結果、走査線２とデータ線３との各交差に対応して、画素はマトリクス状に配列されることとなる。
【００１９】
また、ＴＦＴ５０のゲートが接続される各走査線２には、走査信号Ｙ１、Ｙ２、…、Ｙｍが、パルス的に線順次で印加されるようになっている。このため、ある走査線２に走査信号が供給されると、当該走査線に接続されるＴＦＴ５０がオンするので、データ線３から所定のタイミングで供給されるデータ線信号Ｘ１、Ｘ２、…、Ｘｎは、対応する画素に順番に書き込まれた後、所定の期間保持されることとなる。
【００２０】
各画素に印加される電位レベルに応じて液晶分子の配向や秩序が変化するので、光変調による階調表示が可能となる。例えば、液晶を通過する光量は、ノーマリーホワイトモードであれば、印加電位が高くなるにつれて制限される一方、ノーマリーブラックモードであれば、印加電位が高くなるにつれて緩和されるので、液晶表示装置全体では、画像信号に応じたコントラストを持つ光が各画素毎に出射される。このため、所定の表示が可能となる。
【００２１】
説明を図１に戻す。各フレキシブル基板Ｂ１〜Ｂ４には、データ線駆動回路２０１〜２０４が設けられている。これらの駆動回路は、ＴＡＢ（Tape Automated Bonding）技術を用いてフィルムに実装された駆動用ＩＣチップとして構成され、異方性導電フィルムを介して電気的および機械的に各フレキシブル基板Ｂ１〜Ｂ４に固着されている。フレキシブル基板Ｂ１〜Ｂ５は、ポリイミド等の基材に配線をパターニングして構成されるが、その一部又は全部をポリ塩化ビフェニール（ＰＣＢ）等の基材に配線をパターニングして構成してもよい。
【００２２】
データ線駆動回路２０１〜２０４は、所定本数のデータ線３に対応して設けられており、画像データをＤＡ変換してデータ線信号を生成する。この例では、データ線駆動回路２０１が領域Ａ１のデータ線３に、データ線駆動回路２０２が領域Ａ２のデータ線３に、データ線駆動回路２０３が領域Ａ３のデータ線３に、データ線駆動回路２０４が領域Ａ４のデータ線３に各々対応している。
【００２３】
フレキシブル基板Ｂ５は、フレキシブル基板Ｂ１〜Ｂ４と外部基板Ｃとの中継基板として機能し、そこには、配線Ｌ１〜Ｌ３が形成されている。配線Ｌ１〜Ｌ３については後述する。また、外部基板Ｃには、タイミング発生回路３００、画像処理回路４００、及び電源回路５００等が設けられている。
【００２４】
この液晶表示装置に供給される入力画像データＤは、例えば、８ビットパラレルの形式である。タイミング発生回路３００は、入力画像データＤに同期してＹクロック信号ＹＣＫ、反転Ｙクロック信号ＹＣＫＢ、及びＹ転送開始パルスＤＹ等の制御信号を生成する。タイミング発生回路３００は、画像処理回路４００を制御する各種のタイミング信号を生成し、これを出力する。
【００２５】
Ｙクロック信号ＹＣＫは、走査線２を選択する期間を特定し、反転Ｙクロック信号ＹＣＫＢはＹクロック信号ＹＣＫの論理レベルを反転したものである。Ｘクロック信号ＸＣＫは、データ線３を選択する期間を特定し、反転Ｘクロック信号ＸＣＫＢはＸクロック信号ＸＣＫの論理レベルを反転したものである。
【００２６】
画像処理回路４００は、入力画像データＤに、液晶パネルＡＡの光透過特性を考慮したガンマ補正等を施した後、線順次の画像データを生成して、データ線駆動回路２０１〜２０４へ出力する。電源回路５００は、タイミング発生回路３００および画像処理回路４００に電位電源を供給する他、走査線駆動回路１００及びデータ線駆動回路２０１〜２０４の電源電圧を生成する。
【００２７】
次に、データ線駆動回路２０２〜２０４の詳細について説明する。データ線駆動回路２０２〜２０４は画像データをデジタル信号からアナログ信号へ変換するＤＡ変換器と基準電圧発生回路とを備える。ＤＡ変換器は、各データ線駆動回路２０２〜２０４に複数設けられており、１個のＤＡ変換器が１本のデータ線に対応している。一方、基準電圧発生回路は、各データ線駆動回路２０１〜２０４に１個設けられている。基準電圧発生回路は、高電位電源と低電位電源との間に直列に接続される複数のラダー抵抗によって構成される。
【００２８】
図３に、各データ線駆動回路２０１〜２０４に用いられる基準電圧発生回路２０１ａ〜２０４ａの等価回路を示す。この例では、高電位電源ＶＤＤ及び低電位電源ＶＳＳが基準電圧発生回路２０１ａ〜２０４ａに供給される。高電位電源ＶＤＤは階調「０」に相当し、低電位電源ＶＳＳは階調「２５５」に相当する。なお、同図に示す符号Ｒは、３２階調分のラダー抵抗に相当する。
【００２９】
この例では、ラダー抵抗の各接続点の一部が配線Ｌ１〜Ｌ３によって相互に接続されている。例えば、接続点Ｑ１〜Ｑ４の電位は階調「３２」に相当するＶ３２であるが、ラダー抵抗の値は各基準電圧発生回路２０１ａ〜２０４ａでばらつくため、本来、各接続点Ｑ１〜Ｑ４の電位は一致しない。従来の液晶表示装置で発生する表示ムラはこのような基準電位の相違に起因している。本実施形態においては、ラダー抵抗の各接続点の一部が配線Ｌ１〜Ｌ３によって相互に接続されているので、当該接続点の電位を均一にすることができ、表示ムラを解消することができる。また、配線Ｌ１〜Ｌ３は、複数のラダー抵抗に対して等間隔で設けられている（この例では、３２階調毎）。従って、限られた数の配線によって、全ての階調に亘って明るさを均一にすることが可能である。
【００３０】
＜２．液晶パネルの構成＞
次に、液晶パネルＡＡの全体構成について図４及び図５を参照して説明する。ここで、図４は、液晶パネルＡＡの構成を示す斜視図であり、図５は、図４におけるＺ−Ｚ’線断面図である。
【００３１】
これらの図に示されるように、液晶パネルＡＡは、画素電極６等が形成されたガラスや半導体等の素子基板１５１と、共通電極１５８等が形成されたガラス等の透明な対向基板１５２とを、スペーサ１５３が混入されたシール材１５４によって一定の間隙を保って、互いに電極形成面が対向するように貼り合わせるとともに、この間隙に電気光学材料としての液晶１５５を封入した構造となっている。なお、シール材１５４は、対向基板１５２の基板周辺に沿って形成されるが、液晶１５５を封入するために一部が開口している。このため、液晶１５５の封入後に、その開口部分が封止材１５６によって封止されている。
【００３２】
ここで、素子基板１５１の対向面であって、シール材１５４の外側一辺においては、走査線駆動回路１００が形成されて、Ｘ方向に延在するデータ線３を駆動する構成となっている。また、この一辺に隣接する一辺には、複数の入力端子１５７が形成され、走査線駆動回路１００に駆動信号が供給されると共に、データ線３に画像信号がデータ線信号として供給される構成となっている。
【００３３】
対向基板１５２の共通電極１５８は、素子基板１５１との貼合部分における４隅のうち、少なくとも１箇所において設けられた導通材によって、素子基板１５１との電気的導通が図られている。ほかに、対向基板１５２には、液晶パネルＡＡの用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネルＡＡに光を照射するバックライトが設けられる。特に色光変調の用途の場合には、カラーフィルタは形成されずにブラックマトリクスが対向基板１５２に設けられる。
【００３４】
くわえて、素子基板１５１および対向基板１５２の対向面には、それぞれ所定の方向にラビング処理された配向膜などが設けられる一方、その各背面側には配向方向に応じた偏光板（図示省略）がそれぞれ設けられる。ただし、液晶１５５として、高分子中に微小粒として分散させた高分子分散型液晶を用いれば、前述の配向膜、偏光板等が不要となる結果、光利用効率が高まるので、高輝度化や低消費電力化などの点において有利である。
【００３５】
＜３．応用例＞
＜３−１：配線Ｌ１〜Ｌ３の構成例＞
上述した実施形態においては、配線Ｌ１〜Ｌ３は、複数のラダー抵抗に対して等間隔で設けたが、本発明はこれに限定されるものではない。図６に配線Ｌ１〜Ｌ３の他の構成例を示す。この例では、複数のラダー抵抗に対して中心階調から離れるに従って間隔が密になるように配線Ｌ１〜Ｌ３を設ける。配線Ｌ１〜Ｌ３はラダー抵抗の接続点を相互に接続することによって、それらの間の電位を均一にする。しかしながら、配線本数には限界があるので、どのような階調の電位を均一するかが重要である。人の視覚には、輝度が明るい領域と暗い領域において、感度が高く、僅かな階調差を見分けることができるといった特性がある。そこで、応用例では、複数のラダー抵抗に対して中心階調から離れるに従って間隔が密になるように配線Ｌ１〜Ｌ３を設けることにより、階調の明るい領域と暗い領域において、階調差を低減している。
【００３６】
＜３−２：データ線駆動回路及び配線の配置例＞
上述した実施形態においては、データ線駆動回路２０１〜２０４をフレキシブル基板Ｂ１〜Ｂ４に配置し、配線Ｌ１〜Ｌ３をフレキシブル基板Ｂ５に配置したが、配線Ｌ１〜Ｌ３を液晶パネルＡＡ又は外部基板Ｃに形成してもよい。
【００３７】
また、データ線駆動回路を液晶パネルＡＡに配置してもよい。図７にデータ線駆動回路を液晶パネルＡＡに配置した構成例を示す。この例では、３個のデータ線駆動回路２０１〜２０３が液晶パネルＡＡに設けられている。この場合、各駆動用ＩＣチップは、ＣＯＧ（Chip On Grass）技術を用いて、素子基板１５１の所定位置に異方性導電フィルムを介して電気的および機械的に接続すればよい。また、この例では、配線Ｌ１及びＬ２を液晶パネルＡＡに形成したが、フレキシブル基板や外部基板Ｃに配置してもよい。
【００３８】
さらに、データ線駆動回路２０１〜２０４を外部基板Ｃに配置して、配線Ｌ１〜Ｌ３を、液晶パネルＡＡ、フレキシブル基板、又は外部基板Ｃのいずれかに配置してもよい。
【００３９】
＜３−３：電気光学装置の他の例＞
また、上述した実施の形態にあっては、画素のスイッチング素子を、ＴＦＴで代表される３端子素子として説明したが、ダイオード等の２端子素子で構成しても良い。ただし、画素のスイッチング素子として２端子素子を用いる場合には、走査線２を一方の基板に形成し、データ線３を他方の基板に形成するとともに、２端子素子を、走査線２またはデータ線３のいずれか一方と、画素電極との間に形成する必要がある。この場合、画素は、走査線２とデータ線３との間に直列接続された二端子素子と、液晶とから構成されることとなる。
【００４０】
また、本発明は、アクティブマトリクス型液晶表示装置として説明したが、これに限られず、ＳＴＮ（Super Twisted Nematic）液晶などを用いたパッシブ型にも適用可能である。さらに、電気光学材料としては、液晶のほかに、エレクトロルミネッセンス素子などを用いて、その電気光学効果により表示を行う表示装置にも適用可能である。また、電気光学装置には、電子ペーパー等の電気泳動装置、電子放出素子（Field  Emission  Display及びSurface-Conduction  Electron-Emitter  Display）等を用いた装置も含まれる。
すなわち、本発明は、上述した液晶装置と類似の構成を有するすべての電気光学装置に適用可能である。
【００４１】
＜３−４：電子機器＞
次に、上述した液晶表示装置を各種の電子機器に適用される場合について説明する。
＜３−４−１：プロジェクタ＞
まず、この液晶装置をライトバルブとして用いたプロジェクタについて説明する。図８は、プロジェクタの構成例を示す平面図である。
【００４２】
この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００４３】
液晶パネル１１１０Ｒ、１１１０Ｂおよび１１１０Ｇの構成は、上述した液晶パネルＡＡと同等であり、画像信号処理回路（図示省略）から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００４４】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００４５】
＜３−５−２：モバイル型コンピュータ＞
次に、この液晶パネルＡＡを、モバイル型のパーソナルコンピュータに適用した例について説明する。図９は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【００４６】
＜３−５−３：携帯電話＞
さらに、この液晶パネルＡＡを、携帯電話に適用した例について説明する。図１０は、この携帯電話の構成を示す斜視図である。図において、携帯電話１３００は、複数の操作ボタン１３０２とともに、反射型の液晶パネル１００５を備えるものである。この反射型の液晶パネル１００５にあっては、必要に応じてその前面にフロントライトが設けられる。
【００４７】
なお、図８〜図１０を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。パネル板は、電気光学材料として液晶の替わりに有機ＬＥＤを用いたもの、プラズマを用いたもの、無機エレクトロルミネッセンス素子を用いたものであってもよい。さらに、電子ペーパー等の電気泳動パネルにも適用することができる。
【図面の簡単な説明】
【００４８】
【図１】本発明の一実施形態に係る液晶表示装置の全体構成を示すブロック図である。
【図２】液晶パネルＡＡの電気的構成を示すブロック図である。
【図３】基準電圧発生回路２０１ａ〜２０４ａの等価回路を示す回路図である。
【図４】液晶パネルＡＡの機械的構成を示す斜視図である。
【図５】図４におけるＺ−Ｚ’線断面図である。
【図６】配線Ｌ１〜Ｌ３の他の構成例を示す概念図である。
【図７】データ線駆動回路を液晶パネルＡＡに配置した構成例を示す平面図である。
【図８】同液晶表示装置を適用した電子機器の一例たるビデオプロジェクタの断面図である。
【図９】同液晶表示装置を適用した電子機器の一例たるパーソナルコンピュータの構成を示す斜視図である。
【図１０】同液晶表示装置を適用した電子機器の一例たる携帯電話の構成を示す斜視図である。
【符号の説明】
【００４９】
２…走査線、３…データ線、１００…走査線駆動回路、２０１〜２０４…データ線駆動回路、Ｌ１〜Ｌ３…配線、Ｂ１〜Ｂ５…フレキシブル基板、Ｃ…外部基板、ＡＡ…液晶パネル。
【図１】
2005070338.tif 000003
【図２】
2005070338.tif 000004
【図３】
2005070338.tif 000005
【図４】
2005070338.tif 000006
【図５】
2005070338.tif 000007
【図６】
2005070338.tif 000008
【図７】
2005070338.tif 000009
【図８】
2005070338.tif 000010
【図９】
2005070338.tif 000011
【図１０】
2005070338.tif 000012